(57)【特許請求の範囲】
【請求項１】
先端に印面を下向きとする印判部１１を有する上方フレーム２と、先端上面に被捺印物受部２０を有する下方フレーム３とをばね５にて弾発支持させて鋏動自在に枢着してあり、前記上方フレーム２と下方フレーム３を鋏動させて閉じることにより、前記印判部１１の印面と被捺印物受部２０との間に介入させた被捺印物に対して捺印する様にした捺印具において、前記被捺印物受部２０より後方の下方フレーム３の上面に、開口部２８を設けると共に該開口部２８の開口縁に取付け部２９を設け、前記取付け部２９には、前記開口部２８と連通するパンチ孔３１を有するパンチ台３２を下方に形成してなる枠体３０の上方内部に、パンチ刃３３をその上端が枠体３０の上面より突出する様にばね３５にて弾発支持させて上下動自在に設けてなるパンチ機構２７を着脱自在に取付けて、前記上方フレーム２と下方フレーム３を閉じた時にパンチ刃３３がパンチ孔３１に進入する様にし、更に前記パンチ機構２７より後方の下方フレーム３の上面には、パンチかすを取出すための取出し口４０と、該取出し口４０を閉塞するための蓋４１を設けたことを特徴とするパンチ付き捺印具。
【発明の詳細な説明】
【０００１】
【産業上の利用分野】
本発明は、改札印、検札印、チェック印、領収印、日付印、氏名印などに利用できる携帯用の鋏動式の捺印具に関するものである。
【０００２】
【従来の技術】
先端に印面を下向きとする印判部を有する上方フレームと、先端上面に被捺印物受部を有する下方フレームとを鋏動自在に枢着してあり、前記印判部の印面と被捺印物受部との間に被捺印物を介入させて上方フレームと下方フレームとを鋏動させることにより被捺印物に対して捺印する様にした携帯用の捺印具については、本出願人が先に出願した実開昭５７−９０８５８号公報、実開平５−４９３６３号公報、及び、実公平７−２６１３２号公報として既に開示されている。
そして、前記したような捺印具は、チェック印、領収印、日付印、氏名印などに利用されており、又、電車の乗車券に捺印して使用済みの乗車券であることを証明するための改札印、検札印としても利用されている。
【０００３】
【発明が解決しようとする課題】
一方、最近では、使用済みの乗車券に捺印されている印影を何らかの方法で消してしまい、その乗車券を何度も利用して電車に乗車するという不正乗車が発生しており問題となっている。
そこで、不正乗車を防止する対策として、改札印、検札印のインキを、捺印後は印影を簡単に消すことができない揮発性のものにするなどして対処しているが、それでも不正乗車はまだ発生している。
そこで、本発明は前記したような不正乗車を防止することができる携帯用の鋏動式の捺印具を提供しようとするものである。
【０００４】
【課題を解決するための手段】
前記したような課題を解決するために、本発明は、先端に印面を下向きとする印判部１１を有する上方フレーム２と、先端上面に被捺印物受部２０を有する下方フレーム３とをばね５にて弾発支持させて鋏動自在に枢着してあり、前記上方フレーム２と下方フレーム３を鋏動させて閉じることにより、前記印判部１１の印面と被捺印物受部２０との間に介入させた被捺印物に対して捺印する様にした捺印具において、前記被捺印物受部２０より後方の下方フレーム３の上面に、開口部２８を設けると共に該開口部２８の開口縁に取付け部２９を設け、前記取付け部２９には、前記開口部２８と連通するパンチ孔３１を有するパンチ台３２を下方に形成してなる枠体３０の上方内部に、パンチ刃３３をその上端が枠体３０の上面より突出する様にばね３５にて弾発支持させて上下動自在に設けてなるパンチ機構２７を着脱自在に取付けて、前記上方フレーム２と下方フレーム３を閉じた時にパンチ刃３３がパンチ孔３１に進入する様にし、更に前記パンチ機構２７より後方の下方フレーム３の上面には、パンチかすを取出すための取出し口４０と、該取出し口４０を閉塞するための蓋４１を設けたことを特徴とするパンチ付き捺印具である。
【０００５】
【作用】
被捺印物受部２０より後方の、下方フレーム３の上面に設けた開口部２８の開口縁には取付け部２９が設けてあり、その取付け部２９にはパンチ機構２７を着脱自在に取付けてある。
そして、上方フレーム２と下方フレーム３が開いた状態で、被捺印物を前記パンチ機構２７のパンチ台３２まで挿入する様に印判部１１と被捺印物受部２０との間に介入してやり、その後、上方フレーム２と下方フレーム３を鋏動させて閉じると、被捺印物は印判部１１と被捺印物受部２０に挟持された状態となって、被捺印物に対して捺印がされる。
又、上方フレーム２と下方フレーム３を鋏動させて閉じる時に、上方フレーム２の内面がパンチ機構２７のパンチ刃３３の上端に当接するので、パンチ刃３３は上方フレーム２に押圧されて下降する。
そして、上方フレーム２と下方フレーム３が閉じた時に、パンチ刃３３は被捺印物を介してパンチ孔３１に進入し、これにより被捺印物には捺印と同時に穿孔がされる。
又、被捺印物に穿孔をした時に出るパンチかすは、パンチ孔３１と連通する開口部２８より下方フレーム３の内部に溜まり、溜まったパンチかすを取り出す時は、蓋４１を開けて取出し口４０より取り出すことができる。
【０００６】
【実施例】
以下、本発明の実施例を図１、図２、図３、図４にて詳細に説明する。
１は、上方フレーム２と下方フレーム３とを、下方フレーム３に形成したばね枠４の内側に設けたばね５にて弾発支持させて軸７にて鋏動自在に枢着した把持フレームであり、この把持フレーム１は、周知の紙綴り用ステープラーと同様の動きをするものである。
そして、ばね５の上部には、上方フレーム２を押し上げる支持部材６を設けてあり、支持部材６の上面には金属板８を固着してあると共に、金属板８に対応する位置の上方フレーム２の内側には磁石９を設けて、常時は金属板８と磁石９が磁気吸着した状態になっている。
これにより、上方フレーム２と下方フレーム３が開いた状態を確実に保持すると共に上方フレーム２と下方フレーム３のガタツキや開きすぎを防止している。
又、下方フレーム３の後方の、軸７の下方には握り部１０を設けてある。
【０００７】
１１は、前記上方フレーム２の先端に設けた印判部であり、この印判部１１は、上方フレーム２の先端に形成した印判取付部１２と、印判取付部１２に印面を下向きにして着脱自在に取付けてあり、上方にインキ補充口１３を有すると共に下方に多孔質材よりなる印字体１４とインキ吸蔵体１５を受け金１６にて保持してなる印判枠１７と、印判枠１７の上方に着脱自在にねじ嵌合してあり、インキ補充口１３を閉塞するキャップ１８とからなるものである。
ここで、前記インキ吸蔵体１５には揮発性のインキが含浸してあり、キャップ１８の内部は、キャップ１８の内側に固着してあるパッキン１９により気密保持されている。
又、前記キャップ１８は印判枠１７にねじ嵌合するものとしているが、圧入嵌合するものとしても良い。
【０００８】
２０は、前記下方フレーム３の先端に設けた被捺印物受部であり、この被捺印物受部２０は、下方フレーム３の先端に設けた台座部２１と、前記台座部２１に嵌合固定してあり、前記把持フレーム１を鋏動させて上方フレーム２と下方フレーム３が閉じた時に前記印判部１１の下端の印面を覆う印面キャップ２２と、前記台座部２１の上面に突出しており、前記印面キャップ２２の開口端より出没可能な捺印台２３と、前記捺印台２３の上面に密着するように台座部２１に固着してあり、前記把持フレーム１を鋏動させて上方フレーム２と下方フレーム３が閉じた時に前記印面キャップ２２内の気密を保持する気密部材２４と、前記下方フレーム３の下面に突出した押圧片２５と、前記台座部２１と押圧片２５の間に設けてある、捺印台２３を弾発支持するばね２６とからなるものである。
【０００９】
２７は、前記被捺印物受部９の後方の、前記下方フレーム３の上面に設けた開口部２８の開口縁に設けた取付け部２９に、前記開口部２８を塞ぐ様にして着脱自在に取付けたパンチ機構である。
このパンチ機構２７は、前記開口部２８と連通するパンチ孔３１を有するパンチ台３２を下方に形成してなる枠体３０と、前記枠体３０の上方内部に上端が枠体３０の上面より突出する様に上下動自在に設けてある柱状のパンチ刃３３と、前記枠体３０の上方内部においてパンチ刃３３に嵌合固定してある支持リング３４と、前記枠体３０の上方内部の支持リング３４の下方に設けてあり、パンチ刃３３を常時上方に弾発支持するばね３５とからなるものであり、前記把持フレーム１を鋏動させて上方フレーム２と下方フレーム３が閉じた時にパンチ刃３３が下降して前記パンチ孔３１に進入するものとしている。
そして、このパンチ機構２７の取付け方法は、上方フレーム２と下方フレーム３を開いた状態で、取付け部２９に設けてある係止凹部３６を有する係止片３７に、枠体３０の下方側面に設けてある係止凸部３８を有する係止溝３９を、係止凹部３６と係止凸部３８が係合する位置までスライド挿入して取付けるものである。
ここで、係止片３７は取付け部２９に、係止溝３９は枠体３０にそれぞれ設けてあるが、この係止片３７と係止溝３９は、取付け部２９と枠体３０のどちらに設けても良く、又、係止凹部３６と係止凸部３８についても、係止片３７と係止溝３９のどちらに設けても良い。
【００１０】
４０は、前記パンチ機構２７より後方であって、前記下方フレーム３の上面に設けたパンチかすを取出すための取出し口であり、この取出し口４０は、下方フレーム３の上面に回動自在に設けた蓋４１により常時閉塞されている。
４２は、前記上方フレーム２の上面に前後方向にスライド可能に設けたロック操作部材であり、このロック操作部材４２の下部には、前記上方フレーム２と下方フレーム３が閉じた状態においてロック操作部材４２を前方にスライドさせた時に、端部が前記枠体３０に設けた係止部４４と係合して上方フレーム２と下方フレーム３とをロックするフック部材４３を嵌合固定してある。
【００１１】
次に、使用方法について説明する。
まず、把持フレーム１を上方フレーム２を上向きにして把持して、親指にてロック操作部材４２を後方にスライドさせる。
すると、フック部材４３の端部と係止部４４との係合が解かれて、上方フレーム２と下方フレーム３とのロックが解除され、ばね５の抗力により支持部材６が上昇して上方フレーム２は押し上げられる。
これにより、上方フレーム２と下方フレーム３は開いた状態となり、印判部１１と被捺印物受部２０は開口状態となる。
次に、この状態で被捺印物をパンチ台３２まで挿入する様にして印判部１１と被捺印物受部２０との間に介入して、その後、把持フレーム１を把持する力を強めてやる。
すると、ばね５の弾発力に抗して把持フレーム１が鋏動して、上方フレーム２と下方フレーム３は閉じた状態となる。
そして、その状態で押圧片２５を人差し指にて押し上げる力を加えると、捺印台２３が、その上面が印面キャップ２２の開口端より少し上方に位置する所までばね２６の弾発力に抗して上昇して、被捺印物は印判部１１の印面と捺印台２３の上面に密着している気密部材２４に挟持された状態となって被捺印物に捺印される。
この時、ばね２６は、捺印台２３と印判部１１の印面を水平して被捺印物に対して均一な印影を得ることができるように作用し、更に、気密部材２４が印マットの役割を果たす。
【００１２】
又、把持フレーム１を鋏動させて上方フレーム２と下方フレーム３が閉じる時に、上方フレーム２の内面がパンチ刃３３の上端に当接するので、パンチ刃３３は上方フレーム２に押圧されてばね３５の弾発力に抗して下降する。
そして、上方フレーム２と下方フレーム３とが閉じた時に、パンチ刃３３は被捺印物を介してパンチ孔３１に進入する。
これにより被捺印物には、捺印と同時に穿孔が行なわれることとなる。
そして、被捺印物を穿孔した時に出るパンチかすは、開口部２８より下方フレーム３の内部に溜まり、溜まったパンチかすを取出す時は、蓋４１を開けて取出し口４０より取り出すことができる。
尚、被捺印物を穿孔したくない時には、被捺印物をパンチ台３２を避けて印判部１１と被捺印物受部２０の間に介入させるか、パンチ機構２７を下方フレーム３より取り外して捺印をすれば良い。
又、パンチ刃３３の切れ味が悪くなってきた場合は、使用済みのパンチ機構２７を取り外して、新しいパンチ機構２７と交換してやれば良い。
【００１３】
次に、捺印、及び、穿孔終了後は、把持フレーム１を把持している力を弱めると、ばね５の弾発力により支持部材６が上昇して、上方フレーム２は前記支持部材６に押し上げられて上方フレーム２と下方フレーム３は開いた状態となる。
又、上方フレーム２と下方フレーム３が開いた時に、上方フレーム２の内面とパンチ刃３３の上端との当接が解かれ、パンチ刃３３はばね３５の弾発力により上昇して、パンチ刃３３の下端はパンチ孔３１より出て来る。
これにより、印判部１１と被捺印物受部２０の間から被捺印物を取り出すことができる。
以上のような動作を繰り返すことにより、複数の被捺印物に対して連続して捺印と穿孔を同時に行なうことができる。
そして、携帯時においては、上方フレーム２と下方フレーム３が閉じた状態においてロック操作部材４２を前方にスライドさせてフック部材４３の端部を係止部４４に係合させて、上方フレーム２と下方フレーム３を閉じた状態でロックしておけば良い。
又、インキ吸蔵体１５にインキを補充する時には、キャップ１８を取り外してインキを補充してやれば良く、異なる印面を有する印字体１４を保持する印判枠１７と交換する時には、上方フレーム２と下方フレーム３が開いた状態で金属板８と磁石９との磁気吸着状態を解いて、上方フレーム２と下方フレーム３を通常以上開いて交換すれば良い。
【００１４】
【効果】
以上のように、本発明は鋏動式の捺印具にパンチ機構２７を設け、被捺印物に対して捺印と同時に穿孔をすることができるものとしたので、本発明のパンチ付き捺印具を改札印、検札印として使用した場合には、万が一使用済みの乗車券に捺印されている印影が何らかの方法で消されてしまってもその乗車券には孔が開いているため、その乗車券は使用済みのものであることがわかり不正乗車を防止することができる。
そして、パンチ機構２７は着脱自在としてあるので、被捺印物に対して捺印のみをしたい場合はパンチ機構２７を取り外して使用すれば良く、パンチ刃３３を交換したい場合はパンチ機構２７ごと交換すれば良いので、容易に交換することができる。
又、下方フレーム３の上面にパンチ孔３１と連通する開口部２８、及び、取出し口４０を設けたことにより、被捺印物を穿孔した時に出るパンチかすは、開口部２８より下方フレーム３の内部に溜まるので周囲に散らばってしまうことは無く、下方フレーム３の内部に溜まったパンチかすは取出し口４０より取り出すことができる。
更に、取出し口４０は蓋４１により常時は閉塞されているので、下方フレーム３の内部に溜まったパンチかすは周囲に散らばることは無い。
【図面の簡単な説明】
【図１】  本発明の上方フレームと下方フレームを開いた状態を示す正面断面図
【図２】  本発明の上方フレームと下方フレームを閉じた状態を示す正面断面図
【図３】  本発明の上方フレームと下方フレームを閉じた状態を示す正面図
【図４】  本発明のパンチ機構の取付け方法を示す一部切欠説明図
【符号の説明】
１  把持フレーム
２  上方フレーム
３  下方フレーム
４  ばね枠
５  ばね
６  支持部材
７  軸
８  金属板
９  磁石
１０  握り部
１１  印判部
１２  印判取付部
１３  インキ補充口
１４  印字体
１５  インキ吸蔵体
１６  受け金
１７  印判枠
１８  キャップ
１９  パッキン
２０  被捺印物受部
２１  台座部
２２  印面キャップ
２３  捺印台
２４  気密部材
２５  押圧片
２６  ばね
２７  パンチ機構
２８  開口部
２９  取付け部
３０  枠体
３１  パンチ孔
３２  パンチ台
３３  パンチ刃
３４  支持リング
３５  ばね
３６  係止凹部
３７  係止片
３８  係止凸部
３９  係止溝
４０  取出し口
４１  蓋
４２  ロック操作部材
４３  フック部材
４４  係止部
【図１】
0003725657.tif 000002
【図２】
0003725657.tif 000003
【図３】
0003725657.tif 000004
【図４】
0003725657.tif 000005